(57)【特許請求の範囲】
【請求項１】
土圧を支持する垂直部と、この垂直部の下方で地盤に埋設される水平部とを有するコンクリート製の擁壁を施工するに際して、
地盤上に、水平部の上面付近には各分割体に対応した複数の幅止め金具が前後方向に沿って埋め込まれるとともに、各幅止め金具の前端には水平部から上向きに屈曲する屈曲部が、各幅止め金具の長手方向中間部付近の下面側には溶接により取り付けられたL型の引抜防止鉄筋が、各幅止め金具の後端部付近に設けられた孔に下方から挿通されかつ該幅止め金具に溶接され水平部の上面に露出するボルトが、各幅止め金具の後端には下向きに屈曲する屈曲部が各々設けられ、
コンクリートを上下幅より前後幅が大きくなるように打設して凝固させることにより上記幅止め金具を有する水平部を形成した後、
予め上方締結具を埋め込みながらコンクリートにより形成された複数の分割体を上記水平部上にその長手方向に沿って各分割体の前面を上記水平部から上向きに屈曲する屈曲部に当接させるようにして並設することにより上記垂直部を構成し、続いて連結具の一端を上記ボルトに、他端を上記上方締結具に各々接続するようにしたことを特徴とする擁壁の施工方法。
【請求項２】
複数の分割体を水平部上に並設した後、隣接する分割体間に通り用連結部材を架け渡して各上方締結具を上記通り用連結部材に接続し、上記連結具の一端を上記ボルトに、他端を上記通り用連結部材に接続するようにしたことを特徴とする請求項１記載の擁壁の施工方法。
【請求項３】
上記分割体を型枠内にコンクリートを打設して凝固させることにより、現場で形成するようにしたことを特徴とする請求項１又は２のいずれか記載の擁壁の施工方法。
【発明の詳細な説明】
【０００１】
【発明の属する技術分野】
本発明は、高低差を有する宅地や道路脇等に土圧を支持するために設けられる擁壁の施工方法に関するものである。
【０００２】
【従来の技術】
従来、高低差を有する宅地や道路脇等に土止め用の擁壁を施工する場合、図１６に示すようなコンクリート製のＬ型パネル１を横に並べて配置したり、型枠を用いて現場でコンクリートをＬ型に打設したり、或いは、図１７のように、地盤上にコンクリート製の土台２を打設した後、土台２から上方へ突設した鉄筋３にコンクリート製のブロック４を挿通させながら積み上げてゆく方法が知られている。
【０００３】
【発明が解決しようとする課題】
ところが、図１６の方法では、Ｌ型パネル１を施工現場まで運搬するのに手間が掛かるとともに、Ｌ型パネル１の製造コストが高く付く問題を有していた。また、図１７の方法では、多数のブロック４を積み上げる作業が面倒な問題があった。一方で、住宅の建築現場等で、生コンクリートの余剰が生じた場合、これを有効利用することは困難なものであった。
【０００４】
【課題を解決するための手段】
本発明は前記の課題を解決するため、建築現場等で生じた余剰の生コンクリートを有効利用しながら段差部等の土圧を支持するための擁壁を容易に施工できる擁壁の施工方法を提供することを目的とする。そのため、本発明の請求項１の擁壁の施工方法は、土圧を支持する垂直部と、この垂直部の下方で地盤に埋設される水平部とを有するコンクリート製の擁壁を施工するに際して、地盤上に、水平部の上面付近には各分割体に対応した複数の幅止め金具が前後方向に沿って埋め込まれるとともに、各幅止め金具の前端には水平部から上向きに屈曲する屈曲部が、各幅止め金具の長手方向中間部付近の下面側には溶接により取り付けられたL型の引抜防止鉄筋が、各幅止め金具の後端部付近に設けられた孔に下方から挿通されかつ該幅止め金具に溶接され水平部の上面に露出するボルトが、各幅止め金具の後端には下向きに屈曲する屈曲部が各々設けられ、コンクリートを上下幅より前後幅が大きくなるように打設して凝固させることにより上記幅止め金具を有する水平部を形成した後、予め上方締結具を埋め込みながらコンクリートにより形成された複数の前記分割体を上記水平部上にその長手方向に沿って前記各分割体の前面を上記水平部から上向きに屈曲する屈曲部に当接させるようにして並設することにより上記垂直部を構成し、続いて連結具の一端を上記ボルトに、他端を上記上方締結具に各々接続するようにしたことを特徴とするものである。
【０００６】
請求項２の擁壁の施工方法は、請求項１の方法において、複数の分割体を水平部上に並設した後、隣接する分割体間に通り用連結部材を架け渡して各上方締結具を上記通り用連結部材に接続し、上記連結具の一端を上記ボルトに、他端を上記通り用連結部材に接続するようにしたことを特徴とするものである。
【０００９】
請求項３の擁壁の施工方法は、請求項１又は２のいずれかの方法において、上記分割体を型枠内にコンクリートを打設して凝固させることにより、現場で形成するようにしたことを特徴とするものである。
【００１０】
【発明の実施の形態】
以下、本発明の第１の実施の形態を図面に基づいて説明する。図１に示すように、宅地又は道路脇等に高低差がある場合、段差部分に本実施の形態のコンクリート製の擁壁１０が設けられている。すなわち、擁壁１０の後方側（図の右側）の地面Ｌ１（２点鎖線参照）は擁壁１０の前方側（図の左側）の地面Ｌ２より高くなっており、上段側又は下段側の少なくとも一方が宅地となっていたり、上段側又は下段側の一方が道路を構成している場合等に、段差部分の土砂の崩落を防止するために上記擁壁１０を用いることができる。
【００１１】
上記擁壁１０は、土中に埋設された水平部１１と、段差部分の土圧を支持する垂直部１２とを備え、水平部１１と垂直部１２が連結金具１３（連結具）により連結されている。図２及び図３に示すように、水平部１１は地盤１４上に砕石１５を介してコンクリートを打設することにより、擁壁１０の長手方向へ連続的に設けられている。
【００１２】
一方、垂直部１２は複数の矩形状の分割体１６が、水抜き用の僅かな隙間Ｇを隔てて水平部１１上に並設されている。図１において、水平部１１及び垂直部１２の各分割体１６には各々鉄筋１７、１８が埋め込まれている。また、図１中の拡大図にも示したように、水平部１１の前端部上面付近には、その後端に下向きの屈曲部２０ａを有する下部止め金具２０が各分割体１６に対応させて複数埋め込まれ、この下部止め金具２０の前端から上向きに突出する屈曲部２０ｂ（突起）に各分割体１６の前面が当接されている。
【００１３】
水平部１１の後端部付近には、複数のボルト２１（下方締結具）が上方へ突出するように埋め込まれており、このボルト２１の下端部には引抜抵抗を増すためのプレート２１ａがナット２１ｂにより一体的に取り付けられている。一方、各分割体１６の上部には、ナット２２（上方締結具）が後面側に露出するように埋め込まれている。そして、隣接する複数の分割体１６間に断面Ｌ型の通りアングル２３（通り用連結部材）が架け渡され、この通りアングル２３の垂直部２３ａに設けた横方向の長孔２３ｂを介してボルト２４を各分割体１６のナット２２に螺合することにより、隣接する分割体１６同士が連結されている。
【００１４】
図４にも示すように、連結金具１３は、両端部に雌ねじ２５ａ、２５ｂを有する中央連結体２５と、各々この中央連結体２５の雌ねじ２５ａに螺合する雄ねじ２６ａ、２７ａの端部に羽子板２６ｂ、２７ｂ（屈曲状連結板）が接続された１対の羽子板ボルト２６、２７とからなる。上記雌ねじ２５ａ、２５ｂ同士（従って、雄ねじ２６ａ、２７ａ同士も）は互いの逆向きにねじが切られており、中央連結体２５を羽子板ボルト２６、２７に対して回転させることにより、両端の羽子板２６ｂ、２７ｂ間の距離を調整できるようになっている。
【００１５】
そして、一方の羽子板ボルト２６の羽子板２６ｂが上記ボルト２１にナット２８により接続されるとともに、他方の羽子板ボルト２７の羽子板２７ｂがボルト２９及びナット３０により通りアングル２３の水平部２３ｃに接続されて、各分割体１６が連結金具１３を介して水平部１１に連結されている。なお、他方の羽子板ボルト２７は、図４の状態から略１８０゜回転させた状態で使用されている。
【００１６】
次に、上記擁壁１０の施工手順を説明する。図５に示すように、まず、擁壁１０を施工する周辺の地盤１４を図１に示す施工完了後における下段側の地面Ｌ２より若干低くなる程度まで掘削し、前記砕石１４を敷設した後、側部のみを型枠３１で仕切った状態でコンクリートを上下幅より前後幅が大きくなるように打設して凝固させた後、型枠３１を取り外すことにより、水平部１１を形成する。この際、水平部１１内に前記鉄筋１７、下部止め金具２０及びボルト２１を埋め込んでおく。
【００１７】
一方、垂直部１２を構成する複数の分割体１６は、水平部１１の施工前、施工後又は水平部１１の施工と並行して現場で作成する。すなわち、図６に示すような、例えば、仕切り板３３の両側で同時に２個の分割体１６の作成が可能な型枠３２に、ナット２２を支持金具３４を介して装着するとともに、図６には示さない前記鉄筋１８を型枠３２内に組み込んでコンクリートを流し込み、凝固後に型枠３２を取り外すことにより、図７に示すような分割体１６を多数作成する。図７等に示す分割体１６は表面模様を有していないが、所望により、型枠３２の内表面に凹凸模様を付しておけば、分割体１６は表面に所望の模様を付与することができる。なお、１６ａは、支持金具３４により形成された凹部である。
【００１８】
上記分割体１６は、例えば、高低差を有する宅地に住宅を建築するような場合、当該住宅の基礎等を施工した後に生コンクリートが余った場合は、この余剰の生コンクリートを流用し、必要により、新規のコンクリート材料を追加しながら作成することができる。これにより、保存の困難な生コンクリートを無駄なく使用できる。
【００１９】
なお、残存する生コンクリート量との関係で分割体１６を当該現場の擁壁１０の施工に必要な数量以上に作成した場合でも、生コンクリートと異なり、余剰の分割体１６を所定期間保管しておいて、必要により他の施工現場で使用することができる。
【００２０】
水平部１１の施工と複数の分割体１６の作成が終了した後、水平部１１の前端部付近の上面にモルタル３５を薄く敷き、その上に所定個数の分割体１６を上記隙間Ｇを隔てて順次載置し、各分割体１６の下端部前面を上記屈曲部２０ｂに当接させる。なお、隙間Ｇを設けずに各分割体１６に水抜き用の孔を設けてもよい。
【００２１】
その後、図２及び図３に示したように、隣接する分割体１６同士を通りアングル２３で連結するとともに、この通りアングル２３と水平部１１から突出した前記ボルト２１とを前記連結金具１３を用いて連結する。この際、両羽子板２６ｂ、２７ｂを各々ボルト２１と通りアングル２３とに連結した状態で、ボルト２１と通りアングル２３間の距離に応じて中央連結体２５を羽子板ボルト２６、２７に対し回転させるのみで、両羽子板２６ｂ、２７ｂ間の間隔を調整できる。上記擁壁１０の施工が完了した後、図１に２点鎖線のハッチングで示したように、擁壁１０の後方側（上段側）では高さＬ１まで、前方側（下段側）では高さＬ２まで土砂３６を埋め戻せばよい。
【００２２】
上記のように、各分割体１６の下端部前面が水平部１１から突出した屈曲部２０ｂに当接しているので、擁壁１０の後方の土砂３６の圧力によって分割体１６がその下部から前方へ倒れることがない。また、水平部１１を現場でコンクリートを打設して施工するようにしたので、例えば、従来のようにコンクリート製のＬ型パネル等を製造する施設を設けたり、製造したＬ型パネルを現場まで運搬する必要もなくなる。
【００２３】
さらに、本実施の形態では、垂直部１２を構成する分割体１６も現場で作成するようにしたが、分割体１６は、予め工場等で作成しておいて現場へ搬送するようにしてもよい。なお、擁壁１０の高さを増す目的等で垂直部１２上にブロック等を積層する場合、例えば、各分割体１６の上面に露出するように不図示のナットを埋め込んでおいて、このナットを利用してブロック等を積層すればよい。
【００２４】
次に、本発明の第２の実施の形態を説明する。図８及び図９に示すように、ここでは、水平部１１に前記下部止め金具２０及びボルト２１に代えて幅止め金具４１が埋め込まれる一方、前記連結金具１３の代わりに三角プレート４２（連結具）を用いて水平部１１と各分割体１６とが連結されている。
【００２５】
図１０及び図１１にも示すように、幅止め金具４１は、長尺の金具本体４３と、この金具本体４３の長手方向中間部付近の下面側に溶接により取り付けられたＬ型の引抜防止鉄筋４４と、金具本体４３の後端部付近に設けた孔４３ａに下方から挿通されかつこの金具本体４３に溶接されたボルト４５からなる。なお、金具本体４３の前端には上向きに屈曲する屈曲部４３ｂが、後端には下向きに屈曲する屈曲部４３ｃが各々設けられている。
【００２６】
一方、上記三角プレート４２は、下端部及び上端部に各々水平方向への折曲部４２ａ、４２ｂを有し、折曲部４２ａは上記ボルト４５にナット４６によって固定されるとともに、折曲部４２ｂは通りアングル２３の水平部２３ｃにボルト２９及びナット３０で接続されている。なお、ここでは、通りアングル２３は第１実施の形態とは異なり、水平部２３ｃが垂直部２３ａの上端に位置するように配置されている。
【００２７】
第２実施の形態でも各分割体１６の下端部前面が幅止め金具４１の屈曲部４３ａに当接しているので、分割体１６の後方から土圧が作用しても分割体１６の前倒れへ生じない。また、幅止め金具４１は水平部１１の略前後方向全域に渡って埋め込まれるとともに引抜防止鉄筋４４で水平部１１との付着力が増強され、しかも水平部１１の上方への屈曲部４３ａの突出寸法が第１実施の形態より大きくされているので、前記モルタル３５を使用しなくても分割体１６を安定的に支持することができる。
【００２８】
なお、三角プレート４２を用いた場合、ボルト４５と通りアングル２３との間の間隔は調整不能であるが、上記屈曲部４３ａとボルト４５が同一の金具本体４３上に設けられているため、上記ボルト４５と通りアングル２３との間の間隔は常時略一定に保たれる。
【００２９】
次に、本発明の第３の実施の形態を説明する。図１２及び図１３に示すように、ここでは、擁壁５０の水平部５１を現場で打設する際に、垂直部５２を構成する各分割体５３の下端部を水平部５１内に直接埋め込んで水平部５１と垂直部５２を互いに連結するようにしている。以下、この擁壁５０の施工手順を説明する。
【００３０】
まず、上記第１の実施の形態と同様に、擁壁５０を施工する周辺の地盤１４を施工完了後における下段側の地面Ｌ２より若干低くなる程度まで掘削し、砕石１５を敷設する。その後、砕石１５上に、略平坦な上面を有するコンクリート製のブロック５４をモルタル５５を介して所定の間隔で敷設し、これらのブロック５４上に複数の分割体５３を配置して隣接する分割体５３同士を通りアングル２３で連結する。
【００３１】
なお、分割体５３は、上記分割体１６と基本的に同一構成であるが、分割体５３に上下方向に沿って埋め込まれた鉄筋５６が分割体５３の下方へ突出し、かつ突出部分が後方へ折り曲げられている点で上記分割体１６と相違する。
【００３２】
上記のように、ブロック５４上に複数の分割体５３を配置し、分割体５３の周囲を型枠５７で取り囲んだ後、型枠５７内に分割体５３の下端部が浸漬される程度までコンクリートを流し込んで凝固させると、ブロック５４、鉄筋５６及び分割体５３の下端部が水平部５１内に埋め込まれることにより、水平部５１と各分割体５３とが連結される。なお、コンクリートが凝固した後、型枠５７を取り外し、擁壁５０の後方側をレベルＬ１まで、前方側をレベルＬ２まで土砂３６で埋め戻せばよい。
【００３３】
次に、本発明の第４の実施の形態を説明する。図１４に示すように、この実施の形態では、例えば、第１の実施の形態における通りアングル２３の水平部２３ｃ上に金属製で筒状の支持部材６０を溶接で取り付け、擁壁１０上に設置すべき金網６１の支柱６２の下端部をこの支持部材６０に嵌合して支持させている。
【００３４】
このように、通りアングル２３を利用して金網６１を設置することにより、擁壁１０部分での金網６１の取付を容易に行える。図１５は変形例を示すものであり、金網６１の支柱６３を屈曲状に形成することにより、金網６１が擁壁１０の略真上に位置するようにしている。
【００３５】
なお、通りアングル２３を利用する以外に、例えば、各分割体１６の上面に露出するようにナット又は筒体等を埋め込み、これらナット又は筒体等を用いて金網６１を取り付けることもでき、金網６１以外に、例えば、擁壁１０の垂直部１２上にブロックを積むような場合にも、上記した各分割体１６に埋め込んだナット又は筒体等を利用することもできる。
【００３６】
【発明の効果】
以上説明したように、本発明の請求項１の擁壁の施工方法は、土圧を支持する垂直部と、この垂直部の下方で地盤に埋設される水平部とを有するコンクリート製の擁壁を施工するに際して、地盤上に、水平部の上面付近には各分割体に対応した複数の幅止め金具が前後方向に沿って埋め込まれるとともに、各幅止め金具の前端には水平部から上向きに屈曲する屈曲部が、各幅止め金具の長手方向中間部付近の下面側には溶接により取り付けられたL型の引抜防止鉄筋が、各幅止め金具の後端部付近に設けられた孔に下方から挿通されかつ該幅止め金具に溶接され水平部の上面に露出するボルトが、各幅止め金具の後端には下向きに屈曲する屈曲部が各々設けられ、コンクリートを上下幅より前後幅が大きくなるように打設して凝固させることにより上記幅止め金具を有する水平部を形成した後、予め上方締結具を埋め込みながらコンクリートにより形成された複数の前記分割体を上記水平部上にその長手方向に沿って前記各分割体の前面を上記水平部から上向きに屈曲する屈曲部に当接させるようにして並設することにより上記垂直部を構成し、続いて連結具の一端を上記ボルトに、他端を上記上方締結具に各々接続するようにしたものであり、擁壁の水平部については現場で施工できるので垂直部を構成する分割体のみを必要により、工場等から現場に運搬すればよく、運搬の手間が省ける利点がある。さらに、垂直部の後方から土圧が作用した状態で垂直部を構成する各分割体の下端部付近は上記突起によって前方への移動を阻止されるので、垂直部の前倒れを確実に防止することができる。
【００３８】
請求項２の擁壁の施工方法は、請求項１の方法において、複数の分割体を水平部上に並設した後、隣接する分割体間に通り用連結部材を架け渡して各上方締結具を上記通り用連結部材に接続し、上記連結具の一端を上記ボルトに、他端を上記通り用連結部材に接続するようにしたので、分割体同士の結合を一層強固なものとして擁壁の強度を向上させることができる。
【００４１】
請求項３の擁壁の施工方法は、請求項１又は２のいずれかの方法において、上記垂直部を構成する分割体を型枠内にコンクリートを打設して凝固させることにより、現場で形成するようにしたので、例えば、住宅の近傍で擁壁を施工する場合等に、住宅の基礎の施工等で余った生コンクリートを擁壁の分割体の製造に流用でき、生コンクリートを無駄なく使用することによって施工コストを低減することができる。
【図面の簡単な説明】
【図１】本発明の第１の実施の形態に係る擁壁を示す概略断面図。
【図２】上記擁壁を示す概略背面図。
【図３】上記擁壁を示す概略平面図。
【図４】上記擁壁で用いられる連結金具を示す概略平面図。
【図５】上記擁壁の施工手順を示す概略断面図。
【図６】上記擁壁の垂直部を構成する分割体を製造するための型枠を上方から見た状態示す概略斜視図。
【図７】上記型枠を用いて作成した分割体を示す概略斜視図。
【図８】本発明の第２の実施の形態に係る擁壁を示す概略断面図。
【図９】上記第２の実施の形態の擁壁を示す概略背面図。
【図１０】上記第２の実施の形態で用いる幅止め金具を示す概略平面図。
【図１１】上記第２の実施の形態で用いる幅止め金具を示す概略側面図。
【図１２】本発明の第３の実施の形態に係る擁壁を示す概略断面図。
【図１３】上記第３の実施の形態の擁壁を示す概略背面図。
【図１４】本発明の第４の実施の形態に係る擁壁を示す概略断面図。
【図１５】上記第４の実施の形態の変形例を示す概略背面図。
【図１６】Ｌ型パネルを用いた従来の擁壁を示す概略断面図。
【図１７】ブロックを積み上げてなる従来の擁壁を示す概略断面図。
【符号の説明】
１０  擁壁
１１  水平部
１２  垂直部
１３  連結金具（連結具）
１６  分割体
２１  ボルト（下方締結具）
２２  ナット（上方締結具）
２３  通りアングル（通り用連結部材）
４２  三角プレート（連結具）
【図１】
0003838536.tif 000002
【図２】
0003838536.tif 000003
【図３】
0003838536.tif 000004
【図４】
0003838536.tif 000005
【図５】
0003838536.tif 000006
【図６】
0003838536.tif 000007
【図７】
0003838536.tif 000008
【図８】
0003838536.tif 000009
【図９】
0003838536.tif 000010
【図１０】
0003838536.tif 000011
【図１１】
0003838536.tif 000012
【図１２】
0003838536.tif 000013
【図１３】
0003838536.tif 000014
【図１４】
0003838536.tif 000015
【図１５】
0003838536.tif 000016
【図１６】
0003838536.tif 000017
【図１７】
0003838536.tif 000018